(57)【要約】【課題】  緊急番号からの外線着信を本来外線着信が想定されていない内線電話機を含む複数の内線電話機にも着信させる。【解決手段】  外線から到来する着信情報を分析し、この分析するステップの分析結果が所定の条件を満たし、着信情報にダイヤルイン番号指定情報が含まれていない場合には、複数の内線電話機の回線キーのいずれかに当該着信を表示させる。または、着信情報にダイヤルイン番号指定情報が含まれており、当該ダイヤルイン番号に該当する回線キーが使用中あるいは所定時間無応答であるときには、複数の他内線電話機の回線キーのいずれかに当該着信を表示させる。【選択図】  図１
2006295701.tif 000002
【特許請求の範囲】
【請求項１】
それぞれにダイヤルイン番号が設定された複数の内線電話機と、この内線電話機を収容し、外線から到来する着信情報に含まれるダイヤルイン番号指定情報に応じて該当する内線電話機の該当する回線キーに当該着信を表示させ、当該回線キーの押下に応じて当該着信を当該内線電話機に接続する交換制御手段を含む主装置とを備えたキーテレホンシステムにおいて、
前記主装置は、
外線から到来する着信情報を分析する着信分析手段と、
この着信分析手段の分析結果が所定の条件を満たし、前記着信情報にダイヤルイン番号指定情報が含まれていない場合には、複数の内線電話機の回線キーのいずれかに当該着信を表示させる第一の着信広報手段と
を備えたことを特徴とするキーテレホンシステム。
【請求項２】
それぞれにダイヤルイン番号が設定された複数の内線電話機と、この内線電話機を収容し、外線から到来する着信情報に含まれるダイヤルイン番号指定情報に応じて該当する内線電話機の該当する回線キーに当該着信を表示させ、当該回線キーの押下に応じて当該着信を当該内線電話機に接続する交換制御手段を含む主装置とを備えたキーテレホンシステムにおいて、
前記主装置は、
外線から到来する着信情報を分析する着信分析手段と、
この着信分析手段の分析結果が所定の条件を満たし、前記着信情報にダイヤルイン番号指定情報が含まれており、当該ダイヤルイン番号に該当する回線キーが使用中あるいは所定時間無応答であるときには、複数の他内線電話機の回線キーのいずれかに当該着信を表示させる第二の着信広報手段と
を備えたことを特徴とするキーテレホンシステム。
【請求項３】
それぞれにダイヤルイン番号が設定された複数の内線電話機と、この内線電話機を収容し、外線から到来する着信情報に含まれるダイヤルイン番号指定情報に応じて該当する内線電話機の該当する回線キーに当該着信を表示させ、当該回線キーの押下に応じて当該着信を当該内線電話機に接続する交換制御手段を含む主装置とを備え、この主装置は、外線キーが設定されていない内線電話機からの外線への発信を受信すると、その時点で空いている外線を選択し、当該発信を当該外線に接続すると共に、当該内線電話機が当該外線への発信に使用した回線キーと発番号との対応関係を発信履歴として記録する発信履歴管理手段を備えたキーテレホンシステムにおいて、
前記主装置は、
外線から到来する着信情報を分析する着信分析手段と、
この着信分析手段の分析結果が所定の条件を満たし、前記着信情報にダイヤルイン番号指定情報が含まれていない場合には、前記発信履歴を検索し、前記着信情報に含まれる発信元番号と一致する発番号が前記発信履歴から検索されたときには、当該発番号に対応する回線キーに当該着信を表示させる着信表示手段と、
当該回線キーが使用中あるいは所定時間無応答であるときには、複数の他内線電話機の回線キーのいずれかに当該着信を表示させる第三の着信広報手段と
を備えたことを特徴とするキーテレホンシステム。
【請求項４】
前記着信分析手段の分析結果が所定の条件を満たすときには、本来外線の着信対象ではない内線電話機が有する回線キーのいずれかに外線の着信を臨時に表示させる臨時着信表示手段を備えた請求項１ないし３のいずれかに記載のキーテレホンシステム。
【請求項５】
前記内線電話機は、前記臨時表示手段が着信を臨時に表示させるための回線キーを有し、
前記臨時着信表示手段は、この回線キーに着信を臨時に表示させる手段を備えた
請求項４記載のキーテレホンシステム。
【請求項６】
前記内線電話機は、自己が有する複数の回線キーに対し、前記臨時着信表示手段が着信を臨時に表示させる際の回線キー選択優先順位を設定する手段を備え、
前記臨時着信表示手段は、前記複数の回線キーの使用または未使用の状態を検索し、未使用である回線キーの中でその優先順位が最上位の回線キーに着信を臨時に表示させる手段を備えた
請求項４または５記載のキーテレホンシステム。
【請求項７】
それぞれにダイヤルイン番号が設定された複数の内線電話機と、この内線電話機を収容し、外線から到来する着信情報に含まれるダイヤルイン番号指定情報に応じて該当する内線電話機の該当する回線キーに当該着信を表示させ、当該回線キーの押下に応じて当該着信を当該内線電話機に接続するキーテレホンシステムに適用される緊急番号呼び返し着信方法において、
キーテレホンシステムの主装置は、
外線から到来する着信情報を分析するステップと、
この分析するステップの分析結果が所定の条件を満たし、前記着信情報にダイヤルイン番号指定情報が含まれていない場合には、複数の内線電話機の回線キーのいずれかに当該着信を表示させるステップと
を実行することを特徴とする緊急番号呼び返し着信方法。
【請求項８】
それぞれにダイヤルイン番号が設定された複数の内線電話機と、この内線電話機を収容し、外線から到来する着信情報に含まれるダイヤルイン番号指定情報に応じて該当する内線電話機の該当する回線キーに当該着信を表示させ、当該回線キーの押下に応じて当該着信を当該内線電話機に接続するキーテレホンシステムに適用される緊急番号呼び返し着信方法において、
キーテレホンシステムの主装置は、
外線から到来する着信情報を分析するステップと、
この分析するステップの分析結果が所定の条件を満たし、前記着信情報にダイヤルイン番号指定情報が含まれており、当該ダイヤルイン番号に該当する回線キーが使用中あるいは所定時間無応答であるときには、複数の他内線電話機の回線キーのいずれかに当該着信を表示させるステップと
を実行することを特徴とする緊急番号呼び返し着信方法。
【請求項９】
それぞれにダイヤルイン番号が設定された複数の内線電話機と、この内線電話機を収容し、外線から到来する着信情報に含まれるダイヤルイン番号指定情報に応じて該当する内線電話機の該当する回線キーに当該着信を表示させ、当該回線キーの押下に応じて当該着信を当該内線電話機に接続し、外線キーが設定されていない内線電話機からの外線への発信を受信すると、その時点で空いている外線を選択し、当該発信を当該外線に接続すると共に、当該内線電話機が当該外線への発信に使用した回線キーと発番号との対応関係を発信履歴として記録するキーテレホンシステムに適用される緊急番号呼び返し着信方法において、
キーテレホンシステムの主装置は、
外線から到来する着信情報を分析するステップと、
この分析するステップの分析結果が所定の条件を満たし、前記着信情報にダイヤルイン番号指定情報が含まれていない場合には、前記発信履歴を検索し、前記着信情報に含まれる発信元番号と一致する発番号が前記発信履歴から検索されたときには、当該発番号に対応する回線キーに当該着信を表示するステップと、
当該回線キーが使用中あるいは所定時間無応答であるときには、複数の他内線電話機の回線キーのいずれかに当該着信を表示させるステップと
を実行することを特徴とする緊急番号呼び返し着信方法。
【請求項１０】
前記分析するステップの分析結果が所定の条件を満たすときには、本来外線の着信対象ではない内線電話機が有する回線キーのいずれかに外線の着信を臨時に表示させる請求項７ないし９のいずれかに記載の緊急番号呼び返し着信方法。
【請求項１１】
前記内線電話機は、前記臨時に表示させるステップを実行する際に臨時に外線の着信を表示させるための回線キーを有し、
前記臨時に表示させるステップとして、この回線キーに着信を臨時に表示させる
請求項１０記載の緊急番号呼び返し着信方法。
【請求項１２】
前記内線電話機は、自己が有する複数の回線キーに対し、前記臨時に表示させるステップが着信を臨時に表示させる際の回線キー選択優先順位を設定する手段を有し、
前記臨時に表示させるステップとして、前記複数の回線キーの使用または未使用の状態を検索し、未使用である回線キーの中でその優先順位が最上位の回線キーに着信を臨時に表示させる
請求項１０または１１記載の緊急番号呼び返し着信方法。
【請求項１３】
それぞれにダイヤルイン番号が設定された複数の内線電話機を収容し、外線から到来する着信情報に含まれるダイヤルイン番号指定情報に応じて該当する内線電話機の該当する回線キーに当該着信を表示させ、当該回線キーの押下に応じて当該着信を当該内線電話機に接続する交換制御手段を含むキーテレホンシステムの主装置において、
外線から到来する着信情報を分析する着信分析手段と、
この着信分析手段の分析結果が所定の条件を満たし、前記着信情報にダイヤルイン番号指定情報が含まれていない場合には、複数の内線電話機の回線キーのいずれかに当該着信を表示させる第一の着信広報手段と
を備えたことを特徴とする主装置。
【請求項１４】
それぞれにダイヤルイン番号が設定された複数の内線電話機を収容し、外線から到来する着信情報に含まれるダイヤルイン番号指定情報に応じて該当する内線電話機の該当する回線キーに当該着信を表示させ、当該回線キーの押下に応じて当該着信を当該内線電話機に接続する交換制御手段を含むキーテレホンシステムの主装置において、
外線から到来する着信情報を分析する着信分析手段と、
この着信分析手段の分析結果が所定の条件を満たし、前記着信情報にダイヤルイン番号指定情報が含まれており、当該ダイヤルイン番号に該当する回線キーが使用中あるいは所定時間無応答であるときには、複数の他内線電話機の回線キーのいずれかに当該着信を表示させる第二の着信広報手段と
を備えたことを特徴とする主装置。
【請求項１５】
それぞれにダイヤルイン番号が設定された複数の内線電話機を収容し、外線から到来する着信情報に含まれるダイヤルイン番号指定情報に応じて該当する内線電話機の該当する回線キーに当該着信を表示させ、当該回線キーの押下に応じて当該着信を当該内線電話機に接続する交換制御手段を含み、外線キーが設定されていない内線電話機からの外線への発信を受信すると、その時点で空いている外線を選択し、当該発信を当該外線に接続すると共に、当該内線電話機が当該外線への発信に使用した回線キーと発番号との対応関係を発信履歴として記録する発信履歴管理手段を備えたキーテレホンシステムの主装置において、
外線から到来する着信情報を分析する着信分析手段と、
この着信分析手段の分析結果が所定の条件を満たし、前記着信情報にダイヤルイン番号指定情報が含まれていない場合には、前記発信履歴を検索し、前記着信情報に含まれる発信元番号と一致する発番号が前記発信履歴から検索されたときには、当該発番号に対応する回線キーに当該着信を表示させる着信表示手段と、
当該回線キーが使用中あるいは所定時間無応答であるときには、複数の他内線電話機の回線キーのいずれかに当該着信を表示させる第三の着信広報手段と
を備えたことを特徴とする主装置。
【請求項１６】
前記着信分析手段の分析結果が所定の条件を満たすときには、本来外線の着信対象ではない内線電話機が有する回線キーのいずれかに外線の着信を臨時に表示させる臨時着信表示手段を備えた請求項１３ないし１５のいずれかに記載の主装置。
【請求項１７】
前記臨時着信表示手段は、前記内線電話機が有する着信を臨時に表示させるための回線キーに着信を臨時に表示させる手段を備えた請求項１６記載の主装置。
【請求項１８】
前記臨時着信表示手段は、前記内線電話機が有する複数の回線キーの使用または未使用の状態を検索し、未使用である回線キーの中でその優先順位が最上位の回線キーに着信を臨時に表示させる手段を備えた請求項１６または１７記載の主装置。
【請求項１９】
情報処理装置にインストールすることにより、その情報処理装置に、請求項１３ないし１８のいずれかに記載の主装置に相応する機能を実現させるプログラム。
【発明の詳細な説明】
【技術分野】
【０００１】
本発明は、ダイヤルイン着信機能を有するキーテレホンシステムに利用する。特に、１１０番（警察）や１１９番（消防）などの緊急番号からの呼び返し着信の制御技術に関する。
【背景技術】
【０００２】
メタル回線を利用するアナログ電話システムの場合には、１１０番や１１９番に電話をかけると、発信者（通報者）の電話機と着信者（警察や消防）の電話機との間の回線は着信者側の電話システムによっていったん保留される。この間は、発信者が電話機をオンフックさせても回線の保留は開放されず、必要に応じて着信者側からの呼び返しが行われる。メタル回線の場合には、電話機間の回線の電気的接続状態を保持することにより、回線の保留を行うことができる。
【０００３】
これに対し、ＩＳＤＮ回線またはＩＰ回線などのディジタル回線を利用するディジタル電話システムの場合には、電話機間には、仮想的なパスが設定されるだけであり、メタル回線のように電気的接続状態を保持することによっては回線を保留することはできない。
【０００４】
よって、このようなディジタル回線では、回線を保留するのではなく、発信者側から通知された発番号情報により発信者の電話番号を利用して折り返し発信を行う（例えば、特許文献１〜８参照）。
【０００５】
【特許文献１】特開２００１−３２０７４９号公報
【特許文献２】特開２００１−１８６２５９号公報
【特許文献３】特開平１１−５５７４２号公報
【特許文献４】特開平６−３３４７４４号公報
【特許文献５】特開平４−２９０３６４号公報
【特許文献６】特開平４−２８８７５８号公報
【特許文献７】特開平３−４０５５０号公報
【特許文献８】特開平１−２９８８４９号公報
【発明の開示】
【発明が解決しようとする課題】
【０００６】
ダイヤルイン着信機能を有するキーテレホンシステムでは、ダイヤルイン専用の回線キーのみを有し、外線に直接割り付けられている回線キーを有していない内線電話機がある。
【０００７】
このような内線電話機から１１０番や１１９番（以下では、これらを総称して緊急番号と呼ぶ）に発信した場合には、キーテレホンシステムにおいて、その時点で空いている外線を適当に選択し、内線電話機から外線への発信を可能とする。
【０００８】
ダイヤルイン専用の回線キーのみを有する内線電話機で緊急番号に発信した場合に、この内線電話機が受話器をオンフックさせて電話を切った場合には、着信側からの呼び返しに対し、この内線電話機には外線に直接割り付けられている回線キーが無いために着信表示不可となる。
【０００９】
このような問題点を解決するために、内線電話機から外線への発信の記録を保持しておき、外線からの呼び返しを当該内線電話機に着信表示させる技術がある（例えば、特許文献１、特許文献４、特許文献５、特許文献６参照）。
【００１０】
このような従来の技術は、発信を行った１台の内線電話機への緊急番号からの呼び返し着信を想定しているが、キーテレホンシステムが使用される環境は、主に会社や工場などであり、内線電話機の利用者は、１ヶ所に留まることなく、忙しく動き回っている場合が多い。
【００１１】
そのような内線電話機の使用環境を考慮したときに、緊急性の高い着信を確実に受け取るためには、発信を行った内線電話機だけではなく、その周囲の多数の内線電話機にも等しく着信が行われることが望ましいが、従来の技術では、そのような複数の内線電話機に対する着信は想定されていない。
【００１２】
また、将来のサービスとして、単なる緊急番号への発信に対する呼び返し着信ではなく、緊急番号から、例えば、地震発生に伴う津波警報の発令などのような突発的な緊急事態の発生を知らせる情報の着信があった場合に、この着信を多数の内線電話機が等しく受け取ることができることが望ましいが、従来の技術では、そのようなサービスへの対応は想定されていない。
【００１３】
本発明は、このような背景に行われたものであって、緊急番号からの外線着信を本来外線着信が想定されていない内線電話機を含む複数の内線電話機に着信させることができるキーテレホンシステムおよび緊急番号呼び返し着信方法を提供することを目的とする。
【課題を解決するための手段】
【００１４】
本発明の第一の観点は、それぞれにダイヤルイン番号が設定された複数の内線電話機と、この内線電話機を収容し、外線から到来する着信情報に含まれるダイヤルイン番号指定情報に応じて該当する内線電話機の該当する回線キーに当該着信を表示させ、当該回線キーの押下に応じて当該着信を当該内線電話機に接続する交換制御手段を含む主装置とを備えたキーテレホンシステムである。
【００１５】
ここで、本発明の特徴とするところは、前記主装置は、外線から到来する着信情報を分析する着信分析手段と、この着信分析手段の分析結果が所定の条件を満たし、前記着信情報にダイヤルイン番号指定情報が含まれていない場合には、複数の内線電話機の回線キーのいずれかに当該着信を表示させる第一の着信広報手段とを備えたところにある。
【００１６】
これによれば、ダイヤルイン番号指定情報が含まれていない着信であっても、それが緊急番号からの呼び返し着信であると分析された場合には、この着信を複数の内線電話機の回線キーのいずれかに表示させ、当該回線キーの押下に応じて当該着信を当該内線電話機に接続することができる。これにより、緊急番号からの呼び返し着信を確実にいずれかの内線電話機によって受け取ることができる。
【００１７】
あるいは、前記主装置は、外線から到来する着信情報を分析する着信分析手段と、この着信分析手段の分析結果が所定の条件を満たし、前記着信情報にダイヤルイン番号指定情報が含まれており、当該ダイヤルイン番号に該当する回線キーが使用中あるいは所定時間無応答であるときには、複数の他内線電話機の回線キーのいずれかに当該着信を表示させる第二の着信広報手段とを備えたことを特徴とする。
【００１８】
これによれば、緊急番号からの呼び返し着信をダイヤルイン番号指定された内線電話機の回線キーに表示させる際に、当該回線キーが使用中であったり、あるいは、所定時間無応答である場合には、複数の他内線電話機の回線キーのいずれかに当該着信を表示させ、当該回線キーの押下に応じて当該着信を当該内線電話機に接続することができる。これにより、緊急番号からの呼び返し着信を確実にいずれかの内線電話機によって受け取ることができる。
【００１９】
あるいは、本発明は、それぞれにダイヤルイン番号が設定された複数の内線電話機と、この内線電話機を収容し、外線から到来する着信情報に含まれるダイヤルイン番号指定情報に応じて該当する内線電話機の該当する回線キーに当該着信を表示させると共に当該着信を当該内線電話機に接続する交換制御手段を含む主装置とを備え、この主装置は、外線キーが設定されていない内線電話機からの外線への発信を受信すると、その時点で空いている外線を選択し、当該発信を当該外線に接続すると共に、当該内線電話機が当該外線への発信に使用した回線キーと発番号との対応関係を発信履歴として記録する発信履歴管理手段を備えたキーテレホンシステムである。
【００２０】
ここで、本発明の特徴とするところは、前記主装置は、外線から到来する着信情報を分析する着信分析手段と、この着信分析手段の分析結果が所定の条件を満たし、前記着信情報にダイヤルイン番号指定情報が含まれていない場合には、前記発信履歴を検索し、前記着信情報に含まれる発信元番号と一致する発番号が前記発信履歴から検索されたときには、当該発番号に対応する回線キーに当該着信を表示する着信表示手段と、当該回線キーが使用中あるいは所定時間無応答であるときには、複数の他内線電話機の回線キーのいずれかに当該着信を表示させる第三の着信広報手段とを備えたところにある。
【００２１】
これによれば、外線に対する発信は可能であっても、本来は外線からの着信を想定していない回線キーに対する緊急番号からの呼び返し着信についても外線への発信履歴を検索することにより緊急番号に発信を行った回線キーを特定して着信表示させ、この回線キーの押下に応じて当該着信を当該内線電話機に接続することができる。
【００２２】
さらに、緊急番号からの呼び返し着信を当該回線キーに表示させる際に、当該回線キーが使用中であったり、あるいは、所定時間無応答である場合には、複数の他内線電話機の回線キーのいずれかに当該着信を表示させ、当該他内線電話機の回線キーの押下に応じて当該着信を当該内線電話機に接続することができる。これにより、緊急番号からの呼び返し着信を確実にいずれかの内線電話機によって受け取ることができる。
【００２３】
また、前記着信分析手段の分析結果が所定の条件を満たすときには、本来外線の着信対象ではない内線電話機が有する回線キーのいずれかに外線の着信を臨時に表示させる臨時着信表示手段を備えることができる。
【００２４】
これによれば、本来外線の着信対象である内線電話機のみに緊急番号からの呼び返し着信を表示させる場合と比較してより多くの内線電話機に対し、緊急番号からの呼び返し着信を表示させることができるようになるため、緊急番号からの呼び返し着信を確実に受け取ることができる。
【００２５】
また、前記内線電話機は、前記臨時着信表示手段が着信を臨時に表示させるための回線キーを有し、前記臨時着信表示手段は、この回線キーに着信を臨時に表示させる手段を備えることができる。
【００２６】
これによれば、本来外線の着信対象ではない内線電話機に臨時に外線からの着信を表示させるための回線キーがあらかじめ定められているので、前記臨時着信表示手段の処理を簡単化して高速化することができる。
【００２７】
あるいは、前記内線電話機は、自己が有する複数の回線キーに対し、前記臨時着信表示手段が着信を臨時に表示させる際の回線キー選択優先順位を設定する手段を備え、前記臨時着信表示手段は、前記複数の回線キーの使用または未使用の状態を検索し、未使用である回線キーの中でその優先順位が最上位の回線キーに着信を臨時に表示させる手段を備えることができる。
【００２８】
これによれば、複数の回線キーを臨時着信表示の候補として用意しておくことができるため、臨時着信表示のための専用の回線キーを設定しておかなくても、緊急番号からの着信を確実に受け取ることができる。さらに、臨時着信のための専用の回線キーが設定されている場合でも、この専用の回線キーが使用中である場合には、他の一般の回線キーを臨時着信のための回線キーとして利用することができるため、前記第三の着信広報手段と併用することにより緊急番号からの着信を確実に受け取ることができる。
【００２９】
本発明の第二の観点は、それぞれにダイヤルイン番号が設定された複数の内線電話機と、この内線電話機を収容し、外線から到来する着信情報に含まれるダイヤルイン番号指定情報に応じて該当する内線電話機の該当する回線キーに当該着信を表示させ、当該回線キーの押下に応じて当該着信を当該内線電話機に接続するキーテレホンシステムに適用される緊急番号呼び返し着信方法である。
【００３０】
ここで、本発明の特徴とするところは、キーテレホンシステムの主装置は、外線から到来する着信情報を分析するステップと、この分析するステップの分析結果が所定の条件を満たし、前記着信情報にダイヤルイン番号指定情報が含まれていない場合には、複数の内線電話機の回線キーのいずれかに当該着信を表示させるステップとを実行するところにある。
【００３１】
あるいは、キーテレホンシステムの主装置は、外線から到来する着信情報を分析するステップと、この分析するステップの分析結果が所定の条件を満たし、前記着信情報にダイヤルイン番号指定情報が含まれており、当該ダイヤルイン番号に該当する回線キーが使用中あるいは所定時間無応答であるときには、複数の他内線電話機の回線キーのいずれかに当該着信を表示させるステップとを実行することを特徴とする。
【００３２】
あるいは、本発明は、それぞれにダイヤルイン番号が設定された複数の内線電話機と、この内線電話機を収容し、外線から到来する着信情報に含まれるダイヤルイン番号指定情報に応じて該当する内線電話機の該当する回線キーに当該着信を表示させ、当該回線キーの押下に応じて当該着信を当該内線電話機に接続し、外線キーが設定されていない内線電話機からの外線への発信を受信すると、その時点で空いている外線を選択し、当該発信を当該外線に接続すると共に、当該内線電話機が当該外線への発信に使用した回線キーと発番号との対応関係を発信履歴として記録するキーテレホンシステムに適用される緊急番号呼び返し着信方法である。
【００３３】
ここで、本発明の特徴とするところは、キーテレホンシステムの主装置は、外線から到来する着信情報を分析するステップと、この分析するステップの分析結果が所定の条件を満たし、前記着信情報にダイヤルイン番号指定情報が含まれていない場合には、前記発信履歴を検索し、前記着信情報に含まれる発信元番号と一致する発番号が前記発信履歴から検索されたときには、当該発番号に対応する回線キーに当該着信を表示するステップと、当該回線キーが使用中あるいは所定時間無応答であるときには、複数の他内線電話機の回線キーのいずれかに当該着信を表示させるステップとを実行するところにある。
【００３４】
また、前記分析するステップの分析結果が所定の条件を満たすときには、本来外線の着信対象ではない内線電話機が有する回線キーのいずれかに外線の着信を臨時に表示させるステップを実行することができる。
【００３５】
このときに、前記内線電話機は、前記臨時に表示させるステップを実行する際に臨時に外線の着信を表示させるための回線キーを有し、前記臨時に表示させるステップとして、この回線キーに着信を臨時に表示させるステップを実行することができる。
【００３６】
あるいは、前記内線電話機は、自己が有する複数の回線キーに対し、前記臨時に表示させるステップが着信を臨時に表示させる際の回線キー選択優先順位を設定する手段を有し、前記臨時に表示させるステップとして、前記複数の回線キーの使用または未使用の状態を検索し、未使用である回線キーの中でその優先順位が最上位の回線キーに着信を臨時に表示させるステップを実行することができる。
【００３７】
本発明の第三の観点は、それぞれにダイヤルイン番号が設定された複数の内線電話機を収容し、外線から到来する着信情報に含まれるダイヤルイン番号指定情報に応じて該当する内線電話機の該当する回線キーに当該着信を表示させ、当該回線キーの押下に応じて当該着信を当該内線電話機に接続する交換制御手段を含むキーテレホンシステムの主装置である。
【００３８】
ここで、本発明の特徴とするところは、外線から到来する着信情報を分析する着信分析手段と、この着信分析手段の分析結果が所定の条件を満たし、前記着信情報にダイヤルイン番号指定情報が含まれていない場合には、複数の内線電話機の回線キーのいずれかに当該着信を表示させる第一の着信広報手段とを備えたところにある。
【００３９】
あるいは、外線から到来する着信情報を分析する着信分析手段と、この着信分析手段の分析結果が所定の条件を満たし、前記着信情報にダイヤルイン番号指定情報が含まれており、当該ダイヤルイン番号に該当する回線キーが使用中あるいは所定時間無応答であるときには、複数の他内線電話機の回線キーのいずれかに当該着信を表示させる第二の着信広報手段とを備えたことを特徴とする。
【００４０】
あるいは、本発明は、それぞれにダイヤルイン番号が設定された複数の内線電話機を収容し、外線から到来する着信情報に含まれるダイヤルイン番号指定情報に応じて該当する内線電話機の該当する回線キーに当該着信を表示させ、当該回線キーの押下に応じて当該着信を当該内線電話機に接続する交換制御手段を含み、外線キーが設定されていない内線電話機からの外線への発信を受信すると、その時点で空いている外線を選択し、当該発信を当該外線に接続すると共に、当該内線電話機が当該外線への発信に使用した回線キーと発番号との対応関係を発信履歴として記録する発信履歴管理手段を備えたキーテレホンシステムの主装置である。
【００４１】
ここで、本発明の特徴とするところは、外線から到来する着信情報を分析する着信分析手段と、この着信分析手段の分析結果が所定の条件を満たし、前記着信情報にダイヤルイン番号指定情報が含まれていない場合には、前記発信履歴を検索し、前記着信情報に含まれる発信元番号と一致する発番号が前記発信履歴から検索されたときには、当該発番号に対応する回線キーに当該着信を表示させる着信表示手段と、当該回線キーが使用中あるいは所定時間無応答であるときには、複数の他内線電話機の回線キーのいずれかに当該着信を表示させる第三の着信広報手段とを備えたところにある。
【００４２】
また、前記着信分析手段の分析結果が所定の条件を満たすときには、本来外線の着信対象ではない内線電話機が有する回線キーのいずれかに外線の着信を臨時に表示させる臨時着信表示手段を備えることができる。
【００４３】
このときに、前記臨時着信表示手段は、前記内線電話機が有する着信を臨時に表示させるための回線キーに着信を臨時に表示させる手段を備えることができる。
【００４４】
あるいは、前記臨時着信表示手段は、前記内線電話機が有する複数の回線キーの使用または未使用の状態を検索し、未使用である回線キーの中でその優先順位が最上位の回線キーに着信を臨時に表示させる手段を備えることができる。
【００４５】
また、本発明の第四の観点は、情報処理装置にインストールすることにより、その情報処理装置に、本発明の主装置に相応する機能を実現させるプログラムである。
【発明の効果】
【００４６】
本発明によれば、緊急番号からの外線着信を本来外線着信が想定されていない内線電話機を含む複数の内線電話機に着信させることができる。
【発明を実施するための最良の形態】
【００４７】
（第一実施例）
本発明第一実施例のキーテレホンシステムを図１ないし図６を参照して説明する。図１は第一実施例のキーテレホンシステムのブロック構成図である。
【００４８】
第一実施例は、図１に示すように、それぞれにダイヤルイン番号が設定された複数の内線電話機Ｔ１およびＴ２と、この内線電話機Ｔ１およびＴ２を収容し、外線から到来する着信情報に含まれるダイヤルイン番号指定情報に応じて該当する内線電話機Ｔ１またはＴ２の該当する回線キーに当該着信を表示させ、当該回線キーの押下に応じて当該着信を当該内線電話機Ｔ１またはＴ２に接続する交換制御部１０を含む主装置Ｍとを備えたキーテレホンシステムである。
【００４９】
ここで、第一実施例の特徴とするところは、主装置Ｍは、外線から到来する着信情報を分析する着信分析部１１を備え、交換制御部１０は、この着信分析部１１の分析結果が所定の条件を満たし、前記着信情報にダイヤルイン番号指定情報が含まれていない場合には、複数の内線電話機の回線キーのいずれかに当該着信を表示させる第一の着信広報手段を備えたところにある。
【００５０】
本実施例における「所定の条件」とは「緊急番号からの呼び返し着信」であるという条件である。着信分析部１１は、緊急番号テーブル１２を有し、着信情報に含まれる発番号と緊急番号テーブル１２に記録されている緊急番号（１１０番、１１９番など）とが一致する場合に「所定の条件」を満たすとする分析結果を出力する。
【００５１】
さらに、交換制御部１０は、着信分析部１１の分析結果が緊急番号からの呼び返し着信であるという条件を満たし、前記着信情報にダイヤルイン番号指定情報が含まれており、当該ダイヤルイン番号に該当する回線キーが使用中あるいは所定時間無応答であるときには、複数の他内線電話機の回線キーのいずれかに当該着信を表示させる第二の着信広報手段を備えたことを特徴とする。
【００５２】
所定時間無応答の検出には、呼出タイマ１３が用いられる。すなわち、交換制御部１０は、回線キーへの着信表示とほぼ同時に呼出タイマ１３をセットする。呼出タイマ１３が所定時間満了信号を出力すると交換制御部１０は、複数の他内線電話機の回線キーのいずれかに緊急番号からの呼び返し着信を表示させる。
【００５３】
また、交換制御部１０は、着信分析部１１の分析結果が緊急番号からの呼び返し着信であるという条件を満たすときには、本来外線の着信対象ではない内線電話機Ｔ１またはＴ２が有する回線キーのいずれかに外線の着信を臨時に表示させる臨時着信表示手段を備える。
【００５４】
例えば、内線電話機Ｔ１は、前記臨時表示手段が着信を臨時に表示させるための回線キー（♯３）を有し、前記臨時着信表示手段は、この回線キー（♯３）に着信を臨時に表示させる手段を備える。
【００５５】
あるいは、内線電話機Ｔ２は、自己が有する複数の回線キー（♯１〜♯４）に対し、前記臨時着信表示手段が着信を臨時に表示させる際の回線キー選択優先順位を設定する臨時割付優先順位設定部２０を備え、前記臨時着信表示手段は、複数の回線キー（♯１〜♯４）の使用または未使用の状態を検索し、未使用である回線キーの中でその優先順位が最上位の回線キーに着信を臨時に表示させる手段を備える。
【００５６】
次に、第一実施例の緊急番号の呼び返し着信方法について図２ないし図６を参照して説明する。図２は第一実施例の着信広報手順を示すフローチャートである。
【００５７】
第一実施例では、図２に示すように、キーテレホンシステムの主装置Ｍは、外線からの着信に対し（Ｓ１）、外線から到来する着信情報を分析するステップ（Ｓ２）と、この分析するステップ（Ｓ２）の分析結果により緊急番号からの呼び返し着信であることが判明し（Ｓ３）、前記着信情報にダイヤルイン番号指定情報が含まれていない場合には（Ｓ４）、複数の内線電話機の回線キーのいずれかに当該着信を表示させるステップ（Ｓ８）とを実行する。
【００５８】
ステップ（Ｓ２）の着信分析部１１による着信分析は、着信情報に含まれる発番号と緊急番号テーブル１２に記録されている緊急番号（１１０番、１１９番など）とが一致するか否かによって行われる。
【００５９】
また、第一実施例では、図２に示すように、キーテレホンシステムの主装置Ｍは、外線からの着信に対し（Ｓ１）、外線から到来する着信情報を分析するステップ（Ｓ２）と、この分析するステップ（Ｓ２）の分析結果により緊急番号からの呼び返し着信であることが判明し（Ｓ３）、前記着信情報にダイヤルイン番号指定情報が含まれており（Ｓ４）、当該ダイヤルイン番号に該当する回線キーが使用中（Ｓ５）あるいは所定時間無応答（Ｓ６、Ｓ７）であるときには、複数の他内線電話機の回線キーのいずれかに当該着信を表示させるステップ（Ｓ８）とを実行する。
【００６０】
ステップ（Ｓ６）でダイヤルイン番号指定先の回線キーへ着信表示を行ってから、ステップ（Ｓ７）で所定時間無応答であるか否かを判定するが、この判定は呼出タイマ１３を用いて行われる。すなわち、呼出タイマ１３により呼出継続時間を計測し、この計測結果が所定時間を越えたらステップ（Ｓ８）に遷移する。
【００６１】
なお、図２のステップＳ９〜Ｓ１１は緊急番号からの呼び返し着信以外の一般的な動作なので詳細な説明は省略するが、簡単に説明すると、緊急番号からの呼び返し着信でない場合には（Ｓ３）、ダイヤルイン番号の指定がなければ着信不可を当該着信の発信元に対して通知する（Ｓ１１）。また、ダイヤルイン番号の指定があれば、ダイヤルイン番号指定先回線キーへ当該着信を表示する（Ｓ１０）。
【００６２】
また、分析するステップ（Ｓ２）の分析結果が所定の条件を満たすときには、本来外線の着信対象ではない内線電話機が有する回線キーのいずれかに外線の着信を臨時に表示させるステップを実行する。このステップは、ステップ（Ｓ８）のサブルーティンとして実行される。
【００６３】
例えば、内線電話機Ｔ１は、図３に示すように、前記臨時に表示させるステップを実行する際に臨時に外線の着信を表示させるための回線キー（♯３）を有し、前記臨時に表示させるステップとして、この回線キーに着信を臨時に表示させる。
【００６４】
すなわち、図４に示すように、交換制御部１０は、全内線電話機へ着信表示（Ｓ８）を行う際に、例えば、内線電話機Ｔ１の臨時割付専用の回線キーを検索する。検索の結果、内線電話機Ｔ１の臨時割付専用の回線キーが♯３であることを認識すると、この臨時割付専用の回線キー（♯３）は未使用であるか否かを調べ（Ｓ８−１）、未使用であれば、臨時割付専用の回線キー（♯３）に緊急番号からの呼び返し着信を表示させる（Ｓ８−２）。また、臨時割付専用の回線キー（♯３）が使用中であれば着信不可とする（Ｓ８−３）。
【００６５】
このように、臨時割付専用の回線キーを設けることにより、交換制御部１０における処理手順を簡単化して高速化することができる。その一方で、もし、臨時割付専用の回線キーが使用中である場合には、臨時着信表示を断念せざるを得ない場合もあり得る。
【００６６】
他の方法としては、内線電話機Ｔ２は、図５に示すように、自己が有する複数の回線キー（♯１〜♯４）に対し、前記臨時に表示させるステップが着信を臨時に表示させる際の回線キー選択優先順位を設定する臨時割付優先順位設定部２０を有し、前記臨時に表示させるステップとして、複数の回線キー（♯１〜♯４）の使用または未使用の状態を検索し、未使用である回線キーの中でその優先順位が最上位の回線キーに着信を臨時に表示させるステップを実行する。
【００６７】
すなわち、図６に示すように、交換制御部１０は、全内線電話機に着信表示を行う際に（Ｓ８）、臨時割付優先順位１番目の回線キー（♯４）は使用中か否か検索し（Ｓ８−１０）、回線キー（♯４）が使用中であれば臨時割付優先順位２番目の回線キー（♯３）は使用中か否か検索し（Ｓ８−１１）、回線キー（♯３）が使用中であれば臨時割付優先順位３番目の回線キー（♯２）は使用中か否か検索し（Ｓ８−１２）、回線キー（♯２）が使用中であれば臨時割付優先順位４番目の回線キー（♯１）は使用中か否か検索し（Ｓ８−１３）、使用中でない回線キーの内で優先順位が最も高い回線キーに着信を表示する。
【００６８】
これによれば、複数の回線キーのうちのいずれかに臨時着信を表示させることができるので、着信不可となる確率を低く抑えることができる。
【００６９】
なお、回線キー選択優先順位の設定方法としては、例えば、最も使用頻度が低い回線キーを最上位の優先順位とし、最も使用頻度が高い回線キーを最下位の優先順位とし、回線キーの使用頻度と優先順位とが反比例するように設定する。
【００７０】
このようにステップＳ８を実行するに際し、本来外線からの着信を受け取ることができる内線電話機のみならず、本来外線からの着信が想定されていない内線電話機においても緊急番号からの呼び返し着信を受け取ることができるため、重要な連絡事項を含んでいる緊急番号からの呼び返し着信を確実に受け取ることができる。
【００７１】
（第二実施例）
本発明第二実施例のキーテレホンシステムを図７ないし図１０を参照して説明する。図７は第二実施例のキーテレホンシステムのブロック構成図である。
【００７２】
第二実施例は、図７に示すように、それぞれにダイヤルイン番号が設定された複数の内線電話機Ｔ１およびＴ２と、この内線電話機Ｔ１およびＴ２を収容し、外線から到来する着信情報に含まれるダイヤルイン番号指定情報に応じて該当する内線電話機Ｔ１またはＴ２の該当する回線キー（♯１〜♯４）に当該着信を表示させ、当該回線キー（♯１〜♯４）の押下に応じて当該着信を当該内線電話機Ｔ１またはＴ２に接続する交換制御部１０を含む主装置Ｍとを備え、この主装置Ｍは、外線キーが設定されていない内線電話機Ｔ１またはＴ２からの外線への発信を受信すると、その時点で空いている外線を選択し、当該発信を当該外線に接続すると共に、当該内線電話機Ｔ１またはＴ２が当該外線への発信に使用した回線キーと発番号との対応関係を外線発信履歴管理テーブル１４に発信履歴として記録する発信履歴管理手段を備えたキーテレホンシステムである。
【００７３】
ここで、第二実施例の特徴とするところは、主装置Ｍは、外線から到来する着信情報を分析する着信分析部１１を備え、交換制御部１０は、着信分析部１１の分析結果が緊急番号からの呼び返し着信であるという条件を満たし、前記着信情報にダイヤルイン番号指定情報が含まれていない場合には、前記発信履歴を検索し、前記着信情報に含まれる発信元番号と一致する発番号が前記発信履歴から検索されたときには、当該発番号に対応する回線キーに当該着信を表示させる着信表示手段と、当該回線キーが使用中あるいは所定時間無応答であるときには、複数の他内線電話機の回線キーのいずれかに当該着信を表示させる第三の着信広報手段とを備えたところにある。
【００７４】
次に、第二実施例の緊急番号の呼び返し着信方法について図８ないし図１０を参照して説明する。図８は第二実施例における外線への発信手順を示すフローチャートである。
【００７５】
第二実施例では、図８に示すように、交換制御部１０は、外線キーが設定されていない内線電話機Ｔ１またはＴ２からの外線への発信を受け付けると（Ｓ２１、Ｓ２２）、その時点で空いている外線を選択し（Ｓ２３）、当該発信を当該外線に接続する（Ｓ２４）と共に、当該内線電話機Ｔ１またはＴ２が当該外線への発信に使用した回線キーと発番号との対応関係を発信履歴として外線発信履歴管理テーブル１４に記録する（Ｓ２５）。
【００７６】
図９は外線発信履歴管理テーブル１４の記録内容を示す図である。図９の例では、内線電話機Ｔ１は、回線キー（♯１）を使用して発番号１１０に外線から発信している。また、内線電話機Ｔ２は、回線キー（♯４）を使用して発番号１１９に外線から発信している。
【００７７】
図１０は第二実施例における外線からの着信手順を示すフローチャートである。第二実施例では、図１０に示すように、主装置Ｍは、外線からの着信に対し（Ｓ３１）、到来する着信情報を分析するステップ（Ｓ３２）と、この分析するステップの分析結果により緊急番号からの呼び返し着信であることが判明し（Ｓ３３）、前記着信情報にダイヤルイン番号指定情報が含まれていない場合には（Ｓ３４）、外線発信履歴管理テーブル１４の発信履歴を検索し（Ｓ３９）、前記着信情報に含まれる発信元番号と一致する発番号が前記発信履歴から検索されたときには（Ｓ４０）、当該発番号に対応する回線キーに当該着信を表示するステップ（Ｓ４１、Ｓ４３）と、当該回線キーが使用中（Ｓ４２）あるいは所定時間無応答（Ｓ３７）であるときには、複数の他内線電話機の回線キーのいずれかに当該着信を表示させるステップ（Ｓ３８）とを実行する。
【００７８】
なお、ステップ（Ｓ３５、Ｓ３６、Ｓ４４、Ｓ４５、Ｓ４６）は、第一実施例で既に説明したステップと同様なので説明は省略する。また、ステップ（Ｓ３８）におけるサブルーティンとして第一実施例の図３〜図６で説明した手順を適用することができる。
【００７９】
（第三実施例）
汎用の情報処理装置にインストールすることにより、その情報処理装置に第一または第二実施例の主装置Ｍあるいは内線電話機Ｔ１、Ｔ２に相応する機能を実現させるプログラムを第三実施例とする。
【００８０】
このプログラムは、記録媒体に記録されて情報処理装置にインストールされ、あるいは通信回線を介して情報処理装置にインストールされることにより当該情報処理装置に、交換制御部１０、着信分析部１１、緊急番号テーブル１２、呼出タイマ１３、外線発信履歴管理テーブル１４、臨時割付優先順位設定部２０にそれぞれ相応する機能を実現させることができる。
【００８１】
これにより、汎用の情報処理装置を用いて第一または第二実施例の主装置Ｍあるいは内線電話機Ｔ１、Ｔ２を実現することができる。
【００８２】
（第四実施例）
第一〜第三実施例における以上の説明は、緊急番号への発信に対する呼び返し着信への対応の例を説明したが、将来のサービスとして、緊急番号への発信に対する呼び返し着信ではなく、緊急番号から、例えば、地震発生に伴う津波警報の発令などのような突発的な緊急事態の発生を知らせる情報の着信サービスが実現した場合に、本実施例で説明した技術をそのまま転用することにより、平常時には、このような着信に対応していない多数の内線電話機が非常時には等しく当該着信を受け取ることができる。
【００８３】
（実施例まとめ）
以上説明した実施例によれば、緊急番号からの呼び返し着信（第四実施例で説明したような緊急通報を含む）に対し、図１１、図１２、図１３に示すように対応することができる。すなわち、図１１に示すように、緊急番号からの呼び返し着信がダイヤルイン番号指定を含まない場合でも、一斉に全内線電話機を呼び出すことができる。
【００８４】
あるいは、図１２に示すように、緊急番号からの呼び返し着信がダイヤルイン番号指定を含む場合には、まず、ダイヤルイン番号指定先の内線電話機の回線キーに着信表示を試みるが、このときに、当該回線キーが使用中である場合には、一斉に全内線電話機を呼び出すことができる。
【００８５】
あるいは、図１３に示すように、緊急番号からの呼び返し着信がダイヤルイン番号指定を含む場合には、まず、ダイヤルイン番号指定先の内線電話機の回線キーに着信表示を試みるが、このときに、当該内線電話機が所定時間無応答である場合には、一斉に全内線電話機を呼び出すことができる。
【００８６】
また、緊急番号からの呼び返し着信がダイヤルイン番号指定を含まなくても、発信履歴を記録することによって、緊急番号に発信した発信元の内線電話機を特定することができる。この場合には、特定した内線電話機に対して図１２または図１３に示す対応を行うことができる。
【００８７】
これにより、緊急番号からの外線着信を本来外線着信が想定されていない内線電話機を含む複数の内線電話機に着信させることができる。
【産業上の利用可能性】
【００８８】
本発明によれば、緊急番号からの呼び返し着信を複数の内線電話機に等しく着信させることができるので、緊急番号へ発信を行った内線電話機の利用者が呼び返し着信を受け漏らすことを回避することができ、利用者の利便性を向上させることができる。
【００８９】
また、将来のサービスとして、緊急番号から、例えば、地震発生に伴う津波警報の発令などのような突発的な緊急事態の発生を知らせる情報の着信サービスが実現した場合に、平常時には、このような着信に対応していない多数の内線電話機が非常時には等しく当該着信を受け取ることができるので、災害対策に利用することができる。
【図面の簡単な説明】
【００９０】
【図１】第一実施例のキーテレホンシステムのブロック構成図。
【図２】第一実施例の着信手順を示すフローチャート。
【図３】内線電話機Ｔ１における回線キーの割り付け状況を説明するための図。
【図４】第一実施例の全内線電話機へ着信表示するステップのサブルーティンを示すフローチャート。
【図５】内線電話機Ｔ２における回線キーの割り付け状況を説明するための図。
【図６】内線電話機Ｔ２における臨時割付回線キーの決定手順および臨時割付回線キーへの着信表示手順を示すフローチャート。
【図７】第二実施例のキーテレホンシステムのブロック構成図。
【図８】第二実施例の外線への発信手順を示すフローチャート。
【図９】外線発信履歴管理テーブルの記録内容を示す図。
【図１０】第二実施例の着信手順を示すフローチャート。
【図１１】ダイヤルイン指定が無い場合の着信手順を示すシーケンス図。
【図１２】ダイヤルイン指定先の回線キーが使用中の場合の着信手順を示すシーケンス図。
【図１３】ダイヤルイン指定先の回線キーが所定時間無応答の場合の着信手順を示すシーケンス図。
【符号の説明】
【００９１】
１〜３  回線
♯１〜♯４  回線キー
１０  交換制御部
１１  着信分析部
１２  緊急番号テーブル
１３  呼出タイマ
１４  外線発信履歴管理テーブル
Ｍ  主装置
Ｔ１、Ｔ２  内線電話機
２０  臨時割付優先順位設定部
【図１】
2006295701.tif 000003
【図２】
2006295701.tif 000004
【図３】
2006295701.tif 000005
【図４】
2006295701.tif 000006
【図５】
2006295701.tif 000007
【図６】
2006295701.tif 000008
【図７】
2006295701.tif 000009
【図８】
2006295701.tif 000010
【図９】
2006295701.tif 000011
【図１０】
2006295701.tif 000012
【図１１】
2006295701.tif 000013
【図１２】
2006295701.tif 000014
【図１３】
2006295701.tif 000015